(57)【要約】【課題】  使用範囲が限定されることなく、常時静電気の放電が可能な静電気除去装置を提供する。【解決手段】  静電気除去装置を、電気良導体からなり、履物Ｘにおける人体接触可能部分に一端側が装着され、他端側が地面あるいは床面に接触可能あるいは近接可能とされた構成として、履物を履いている限り、人体に帯電する静電気の地面あるいは床面への放電が常時行われるようにしている。【選択図】        図１
2007207660.tif 000002
【特許請求の範囲】
【請求項１】
電気良導体からなり、履物における人体接触可能部分に一端側が装着され、他端側が地面あるいは床面に接触可能あるいは近接可能とされた静電気除去装置。
【請求項２】
電気良導体からなり、ズボンの下端部に一端側が装着し、他端側が地面あるいは床面に接触可能あるいは近接可能とされた静電気除去装置。
【請求項３】
履物における履き口に装着される固定部と、該固定部から履物の外側に沿って下方に延設される自由端部とからなることを特徴とする請求項１記載の静電気除去装置。
【請求項４】
前記固定部を前記履き口に対して着脱可能としたことを特徴とする請求項３記載の静電気除去装置。
【請求項５】
前記自由端部の先端を地面あるいは床面から離れた位置に位置決めする位置決め手段を付設したことを特徴とする請求項３および４のいずれか一項記載の静電気除去装置。
【請求項６】
前記固定部には、装飾性を有するデザイン手段を付設したことを特徴とする請求項３、４および５のいずれか一項記載の静電気除去装置。
【発明の詳細な説明】
【技術分野】
【０００１】
本願発明は、静電気除去装置に関し、さらに詳しくは人体に帯電した静電気を常時除去し得るように構成された静電気除去装置に関するものである。
【背景技術】
【０００２】
例えば、自動車の運転中やＯＡ機器の操作中等においては、衣服の擦れ合い等によって人体に静電気が帯電するという現象が起きる。このようにして静電気が帯電した状態のまま、金属に触れると静電気が放電することにより、パチパチする現象が生じる。
【０００３】
このような静電気の放電による不快な現象を回避するために、例えばキーのような放電グッズを用いて、事前に導電しやすい金属などに触れて放電させる方法が従来から採用されてきている。しかしながら、この方法では、静電気の帯電が自覚できる場合には有用であるが、知らないうちに帯電している場合には、役に立たない場合が生ずる。
【０００４】
そこで、常時静電気の放電を行い得るものとして、車内に設置される敷きマットや室内のドアマットを上面マットと下面シートとからなる二重構造とし、上面マットを導電処理したもの、下面シートを放電配線したものとした静電気被災防止マットが提案されている（特許文献１参照）。
【０００５】
【特許文献１】特開２００５−６３７２９号公報。
【発明の開示】
【発明が解決しようとする課題】
【０００６】
上記特許文献１に開示されているものの場合、マットが存在していない場所での静電気の放電が困難なところから、使用範囲が限定されるという不具合が存する。
【０００７】
本願発明は、上記の点に鑑みてなされたもので、使用範囲が限定されることなく、常時静電気の放電が可能な静電気除去装置を提供することを目的とするものである。
【課題を解決するための手段】
【０００８】
本願発明では、上記課題を解決するための第１の手段として、電気良導体からなり、履物における人体接触可能部分に一端側が装着され、他端側が地面あるいは床面に接触可能あるいは近接可能とされた構成としている。
【０００９】
上記のように構成したことにより、履物を履いている限り、人体に帯電する静電気の地面あるいは床面への放電が常時行われることとなり、特別な動作（例えば、放電動作）を行わなくとも、放電時のパチパチする現象を回避することができる。なお、他端側を地面あるいは床面に近接可能とした場合、地面との接触による摩耗が生じないところから、長期間の使用に耐え得ることとなる。
【００１０】
本願発明では、上記課題を解決するための第２の手段として、電気良導体からなり、ズボンの下端部に一端側が装着され、他端側が地面あるいは床面に接触可能あるいは近接可能とされた構成としている。
【００１１】
上記のように構成したことにより、ズボンを身につけている限り、人体に帯電する静電気の地面あるいは床面への放電が常時行われることとなり、特別な動作（例えば、放電動作）を行わなくとも、放電時のパチパチする現象を回避することができる。なお、他端側を地面あるいは床面に近接可能とした場合、地面との接触による摩耗が生じないところから、長期間の使用に耐え得ることとなる。
【００１２】
本願発明では、さらに、上記課題を解決するための第３の手段として、上記第１の手段を備えた静電気除去装置において、履物における履き口に装着される固定部と、該固定部から履物の外側に沿って下方に延設される自由端部とからなる構成とすることもでき、そのように構成した場合、固定部を履物の履き口に装着するだけで、履物への装着が可能となり、使い勝手が良いものとなる。
【００１３】
本願発明では、さらに、上記課題を解決するための第４の手段として、上記第３の手段を備えた静電気除去装置において、前記固定部を前記履き口に対して着脱可能とすることもでき、そのように構成した場合、交換が容易となる。
【００１４】
本願発明では、さらに、上記課題を解決するための第５の手段として、上記第３又は第４の手段を備えた静電気除去装置において、前記自由端部の先端を地面あるいは床面から離れた位置に位置決めする位置決め手段を付設することもでき、そのように構成した場合、雨の日や湿度の高い日のように静電気の発生率が少ない時、あるいは屋内で畳の上を歩行する時などには、位置決め手段により自由端部の先端を地面あるいは床面から離れた位置に位置決めすることができることとなり、静電気除去装置が歩行の邪魔をすることがなくなるとともに、地面との接触による摩耗が生じないところから、長期間の使用に耐え得ることとなる。
【００１５】
本願発明では、さらに、上記課題を解決するための第６の手段として、上記第３、第４又は第５の手段を備えた静電気除去装置において、前記固定部に、装飾性を有するデザイン手段を付設することもでき、そのように構成した場合、静電気除去装置をデザイン手段でカムフラージュすることができ、違和感の解消に寄与する。
【発明の効果】
【００１６】
本願発明の第１の手段によれば、電気良導体からなり、履物における人体接触可能部分に一端側が装着され、他端側が地面あるいは床面に接触可能あるいは近接可能とされた構成として、履物を履いている限り、人体に帯電する静電気の地面あるいは床面への放電が常時行われるようにしたので、特別な動作（例えば、放電動作）を行わなくとも、放電時のパチパチする現象を回避することができるという効果がある。なお、他端側を地面あるいは床面に近接可能とした場合、地面との接触による摩耗が生じないところから、長期間の使用に耐え得るという効果がある。
【００１７】
本願発明の第２の手段によれば、電気良導体からなり、ズボンの下端部に一端側が装着され、他端側が地面あるいは床面に接触可能あるいは近接可能とされた構成として、ズボンを身につけている限り、人体に帯電する静電気の地面あるいは床面への放電が常時行われるようにしたので、特別な動作（例えば、放電動作）を行わなくとも、放電時のパチパチする現象を回避することができるという効果がある。なお、他端側を地面あるいは床面に近接可能とした場合、地面との接触による摩耗が生じないところから、長期間の使用に耐え得るというがある。
【００１８】
本願発明の第３の手段におけるように、上記第１の手段を備えた静電気除去装置において、履物における履き口に装着される固定部と、該固定部から履物の外側に沿って下方に延設される自由端部とからなる構成とすることもでき、そのように構成した場合、固定部を履物の履き口に装着するだけで、履物への装着が可能となり、使い勝手が良いものとなる。
【００１９】
本願発明の第４の手段におけるように、上記第３の手段を備えた静電気除去装置において、前記固定部を前記履き口に対して着脱可能とすることもでき、そのように構成した場合、交換が容易となる。
【００２０】
本願発明の第５の手段におけるように、上記第３又は第４の手段を備えた静電気除去装置において、前記自由端部の先端を地面あるいは床面から離れた位置に位置決めする位置決め手段を付設することもでき、そのように構成した場合、雨の日や湿度の高い日のように静電気の発生率が少ない時、あるいは屋内で畳の上を歩行する時などには、位置決め手段により自由端部の先端を地面あるいは床面から離れた位置に位置決めすることができることとなり、静電気除去装置が歩行の邪魔をすることがなくなるとともに、地面との接触による摩耗が生じないところから、長期間の使用に耐え得ることとなる。
【００２１】
本願発明の第６の手段におけるように、上記第３、第４又は第５の手段を備えた静電気除去装置において、前記固定部に、装飾性を有するデザイン手段を付設することもでき、そのように構成した場合、静電気除去装置をデザイン手段でカムフラージュすることができ、違和感の解消に寄与する。
【発明を実施するための最良の形態】
【００２２】
以下、添付の図面を参照して、本願発明の幾つかの好適な実施の形態について詳述する。
【００２３】
第１の実施の形態
図１には、本願発明の第１の実施の形態にかかる静電気除去装置が示されている。
【００２４】
この静電気除去装置Ａは、図１に示すように、履物（例えば、靴）Ｘにおける人体接触可能部分に（例えば、履き口Ｘ1の口縁Ｘ1ａに）装着される固定部２ａと、該固定部２ａから靴Ｘの外側に沿って下方に延設される自由端部２ｂとからなっており、全体として電気良導体（例えば、銅あるいは鉄）からなる鎖状クリップとされている。ここで、履き口１とは、足を挿入する開口部のことである。なお、前記履物Ｘは、図示の靴に限定されないし、前記鎖状クリップの材質は、電気良導体である金属であれば、銅に限定されない。
【００２５】
本実施の形態の場合、固定部２ａである一端側は、履き口Ｘ1の口縁Ｘ1ａに対して係脱自在とされており、鎖状クリップを交換可能となっている。
【００２６】
上記のように構成したことにより、履物Ｘを履いている限り、人体に帯電する静電気の地面あるいは床面への放電が常時行われることとなり、特別な動作（例えば、放電動作）を行わなくとも、放電時のパチパチする現象を回避することができる。固定部２ａを履物Ｘの履き口Ｘ1に装着するだけで、履物Ｘへの装着が可能となり、使い勝手が良いものとなる。また、固定部２ａを履き口Ｘ1に対して係脱可能としているので、新しいものと交換が容易となる。
【００２７】
ところで、雨の日や湿度の高い日のように静電気の発生率が少ない時、あるいは屋内で畳の上を歩行する時などには、静電気除去装置Ａによる放電の必要がない。そこで、本実施の形態においては、静電気除去装置Ａにおける自由端部２ｂの先端を地面あるいは床面から離れた位置に位置決めする位置決め手段Ｋが付設されている。本実施の形態においては、前記位置決め手段Ｋとしては、図２に示すように、鎖状クリップの先端側を自由端部２ｂの途中に係止できるように最先端のクリップ２ｃの先端側に形成された切欠部が採用されている。このようにすると、雨の日や湿度の高い日のように静電気の発生率が少ない時、あるいは屋内で畳の上を歩行する時などには、位置決め手段Ｋにより自由端部の先端を地面あるいは床面から離れた位置に位置決めすることができることとなり、静電気除去装置が歩行の邪魔をすることがなくなるとともに、地面との接触による摩耗が生じないところから、長期間の使用に耐え得ることとなる。
【００２８】
ところで、実験によれば静電気除去装置を、電気良導体である金属で構成した場合、地面あるいは床面に必ずしも接地させなくとも、近接させるだけでも、静電気の放電が可能なことが確かめられた。
【００２９】
上記実験の結果を表１に示す。
【００３０】
【表１】
2007207660.tif 000003
【００３１】
上記結果によれば、電気良導体である金属で構成した場合、地面あるいは床面に必ずしも接地させなくとも、近接させるだけでも、静電気の放電が可能なことが分かる。このように、他端側（即ち、自由端部２ｂ）を地面あるいは床面に近接可能とした場合、地面との接触による摩耗が生じないところから、長期間の使用に耐え得ることとなる。
【００３２】
第２の実施の形態
図３には、本願発明の第２の実施の形態にかかる静電気除去装置が示されている。
【００３３】
この場合、履物Ｘとしてサンダルが採用されている。この静電気除去装置Ａは、サンダルＸの履き口となる鼻緒Ｘ1に対して金属製クリップ等を用いて着脱自在に取り付けられた固定部２ａと、該固定部２ａから鼻緒Ｘ1の外側を下方に延設された自由端部２ｂとからなっており、前記固定部２ａには、装飾性を有するデザイン手段３（例えば、花）が付設されている。また、前記自由端部２ｂは、複数本の金属線（例えば、銅線）とされている。なお、この自由端部２ｂは、図４に示すように、房形状とすることもできるし、図５に示すように、バネ形状とすることもできる。このようにすると、静電気除去装置Ａをデザイン手段３でカムフラージュすることができ、違和感の解消に寄与する。その他の構成および作用効果は、第１の実施の形態におけると同様なので説明を省略する。
【００３４】
第３の実施の形態
図６および図７には、本願発明の第３の実施の形態にかかる静電気除去装置が示されている。
【００３５】
この場合、履物Ｘとして女性用靴が採用されている。この静電気除去装置Ａは、女性用靴Ｘの履き口Ｘ1の口縁Ｘ1ａに装着される固定部２ａと、該固定部２ａから女性用靴Ｘの外側に沿って下方に延設される自由端部２ｂとからなっており、全体として金属製（例えば、銅製あるいは鉄製）のクリップ形状とされている。即ち、図７に示すように、固定部２ａは、Ｕ字状に屈曲されており、履き口Ｘ1の口縁Ｘ1ａに対して上方から着脱可能に挟み込まれることとなっている。一方、自由端部２ｂは、地面Ｓから若干離れた位置まで延設されている。例えば、自由端部２ｂと地面Ｓとの距離Ｄは、前述の実験（第１の実施の形態における実験）の結果を参照すると、３〜５ｍｍ程度とするのが望ましい。このようにすると、自由端部２ｂと地面Ｓとの接触による摩耗が生じないところから、長期間の使用に耐え得ることとなる。なお、本実施の形態においては、固定部２ａの装着位置を、女性用靴Ｘの履き口１において土踏まずＸ3に対応する部位としているが、他の部位であってもよい。また、本実施の形態においては、自由端部２ｂの下端が地面Ｓに接地しないようになっているが、第１の実施の形態におけるように、地面Ｓに接地させる構造とすることもできる。その他の構成および作用効果は、第１の実施の形態におけると同様なので説明を省略する。
【００３６】
第４の実施の形態
図８および図９には、本願発明の第４の実施の形態にかかる静電気除去装置が示されている。
【００３７】
この場合、履物Ｘとしてブーツタイプの靴が採用されている。この静電気除去装置Ａは、靴Ｘのかかと上方側面Ｘ2に装着される固定部２ａと、該固定部２ａから靴Ｘの外側に沿って下方に延設される自由端部２ｂとからなっており、全体として金属製（例えば、銅製あるいは鉄製）の線形状とされている。即ち、図９に示すように、固定部２ａは、リベット形状とされており、かかと上方側面Ｘ2に固定されている。一方、自由端部２ｂは、地面Ｓから若干離れた位置まで延設されている。例えば、自由端部２ｂと地面Ｓとの距離Ｄは、前述の実験（第１の実施の形態における実験）の結果を参照すると、３〜５ｍｍ程度とするのが望ましい。このようにすると、自由端部２ｂと地面Ｓとの接触による摩耗が生じないところから、長期間の使用に耐え得ることとなる。なお、本実施の形態においては、固定部２ａの固定位置を、かかと上方側面としているが、他の部位であってもよい。また、本実施の形態においては、自由端部２ｂの下端が地面Ｓに接地しないようになっているが、第１の実施の形態におけるように、地面Ｓに接地させる構造とすることもできる。その他の構成および作用効果は、第１の実施の形態におけると同様なので説明を省略する。
【００３８】
第５の実施の形態
図１０および図１１には、本願発明の第５の実施の形態にかかる静電気除去装置が示されている。
【００３９】
この場合、静電気除去装置Ａは、履物Ｘ（例えば、靴）の土踏まずＸ3に取り付けられた金属製（例えば、銅製あるいは鉄製）の円盤部材４とされており、図１１（イ）に示すように、靴Ｘの内面に達するピン５と該ピン５の内端に取り付けられた取付座６とを備えている。この場合、取付座６は人体と接触することとなっているが、円盤部材４は、地面に接地しない構造となっている。このようにすると、円盤部材４と地面Ｓとは接地していないものの、第１の実施の形態における実験において実証されているように、静電気の放電は可能である。しかも、円盤部材４と地面Ｓとの接触による摩耗が生じないところから、長期間の使用に耐え得ることとなる。
【００４０】
ところで、上記したように構成した場合、静電気除去装置Ａを靴Ｘの製造後に後付けで取り付けることとなるが、図１１（ロ）に示すように、靴Ｘの製造時に靴底と一体に成形することもできる。この場合、静電気除去装置Ａは着脱自在とはならない。
【００４１】
第６の実施の形態
図１２には、本願発明の第６の実施の形態にかかる静電気除去装置が示されている。
【００４２】
この場合、静電気除去装置Ａは、履物Ｘ（例えば、靴）の履き口Ｘ1の口縁Ｘ1ａに嵌着される断面コ字状の固定部２ａと、該固定部２ａに対して回動可能に支持された自由端部２ｂとからなっている。そして、該自由端部２ｂは、下向き三角形形状とされており、その上端には、前記固定部２ａの下端部に形成された一対の支持部７，７に回動可能に嵌挿される一対の支持棒８，８が一体に形成されており、自由端部２ｂは、支持部７，７を中心として回動可能となっているのである。つまり、本実施の形態においては、前記支持部７，７および支持棒８，８が、自由端部２ｂの先端を地面あるいは床面から離れた位置に位置決めする位置決め手段Ｋを構成することとなっているのである。
【００４３】
上記のように構成したことにより、通常使用時（即ち、静電気の除去が必要な時）には、図１２（イ）に示すように、自由端部２ｂは、下向き姿勢とされ、その先端は、地面あるいは床面に対して接触可能あるいは近接可能とされている。この状態においては、履物Ｘを履いている限り、人体に帯電する静電気の地面あるいは床面への放電が常時行われることとなり、特別な動作（例えば、放電動作）を行わなくとも、放電時のパチパチする現象を回避することができる。固定部２ａを履物Ｘの履き口Ｘ1に装着するだけで、履物Ｘへの装着が可能となり、使い勝手が良いものとなる。
【００４４】
ところで、雨の日や湿度の高い日のように静電気の発生率が少ない時、あるいは屋内で畳の上を歩行する時などには、静電気除去装置Ａによる放電の必要がない。その場合には、図１２（ロ）に示すように、自由端部２ｂを支持部７，７を中心として上方に回動させ、自由端部２ｂを上向き姿勢に保持するようにする。このようにすると、自由端部２ｂの先端を地面あるいは床面から離れた位置に位置決めされることとなり、静電気除去装置Ａが歩行の邪魔をすることがなくなるとともに、地面との接触による摩耗が生じないところから、長期間の使用に耐え得ることとなる。
【００４５】
第７の実施の形態
図１３には、本願発明の第７の実施の形態にかかる静電気除去装置が示されている。
【００４６】
この場合、静電気除去装置Ａを構成する固定部２ａは、履物（例えば、靴）の履き口の口縁に嵌着される断面コ字状部材からなっているが、挟む方向に付勢力が作用するように構成されている。また、自由端部２ｂは、下向き略三角形形状とされ且つその先端には円弧部が形成されており、その上端には、前記固定部２ａの下端部に形成された一対の支持部７，７に回動可能に嵌挿される一対の支持棒８，８が一体に形成されており、自由端部２ｂは、支持部７，７を中心として回動可能となっているのである。つまり、本実施の形態においては、前記支持部７，７および支持棒８，８が、自由端部２ｂの先端を地面あるいは床面から離れた位置に位置決めする位置決め手段Ｋを構成することとなっているのである。
【００４７】
上記のように構成したことにより、通常使用時（即ち、静電気の除去が必要な時）には、図１３（イ）に示すように、自由端部２ｂは、下向き姿勢とされ、その先端は、地面あるいは床面に対して接触可能あるいは近接可能とされている。この状態においては、履物を履いている限り、人体に帯電する静電気の地面あるいは床面への放電が常時行われることとなり、特別な動作（例えば、放電動作）を行わなくとも、放電時のパチパチする現象を回避することができる。固定部２ａを履物の履き口に装着するだけで、履物への装着が可能となり、使い勝手が良いものとなる。
【００４８】
ところで、雨の日や湿度の高い日のように静電気の発生率が少ない時、あるいは屋内で畳の上を歩行する時などには、静電気除去装置Ａによる放電の必要がない。その場合には、図１３（ロ）に示すように、自由端部２ｂを支持部７，７を中心として上方に回動させ、自由端部２ｂを上向き姿勢に保持するようにする。このようにすると、自由端部２ｂの先端を地面あるいは床面から離れた位置に位置決めされることとなり、静電気除去装置Ａが歩行の邪魔をすることがなくなるとともに、地面との接触による摩耗が生じないところから、長期間の使用に耐え得ることとなる。
【００４９】
第８の実施の形態
図１４には、本願発明の第８の実施の形態にかかる静電気除去装置が示されている。
【００５０】
この場合、静電気除去装置Ａは、ズボンＹの下端部に装着された固定部２ａと、該固定部２ａから下方に延設された金属製（例えば、銅製あるいは鉄製）の線状体からなる自由端部２ｂとによって構成されており、該自由端部２ｂの下端は、地面あるいは床面に接触可能あるいは近接可能とされている。
【００５１】
上記のように構成したことにより、ズボンＹを身につけている限り、人体に帯電する静電気の地面あるいは床面への放電が常時行われることとなり、特別な動作（例えば、放電動作）を行わなくとも、放電時のパチパチする現象を回避することができる。なお、自由端部２ｂを地面あるいは床面に近接可能とした場合、地面との接触による摩耗が生じないところから、長期間の使用に耐え得ることとなる。
【００５２】
本願発明は、上記実施の形態に限定されるものではなく、発明の要旨を逸脱しない範囲において適宜設計変更可能なことは勿論である。
【図面の簡単な説明】
【００５３】
【図１】本願発明の第１の実施の形態にかかる静電気除去装置の取付状態を示す斜視図である。
【図２】本願発明の第１の実施の形態にかかる静電気除去装置の他の取付状態を示す斜視図である。
【図３】本願発明の第２の実施の形態にかかる静電気除去装置の取付状態を示す斜視図である。
【図４】本願発明の第２の実施の形態にかかる静電気除去装置の変形例を示す正面図である。
【図５】本願発明の第２の実施の形態にかかる静電気除去装置の他の変形例を取り付けた状態を示す側面図である。
【図６】本願発明の第３の実施の形態にかかる静電気除去装置の取付状態を示す側面図である。
【図７】本願発明の第３の実施の形態にかかる静電気除去装置の取付部の構造を示す要部拡大断面図である。
【図８】本願発明の第４の実施の形態にかかる静電気除去装置の取付状態を示す側面図である。
【図９】本願発明の第４の実施の形態にかかる静電気除去装置の取付部の構造を示す要部拡大断面図である。
【図１０】本願発明の第５の実施の形態にかかる静電気除去装置の取付状態を示す底面図である。
【図１１】（イ）は本願発明の第５の実施の形態にかかる静電気除去装置の取付部の構造を示す要部拡大断面図、（ロ）は変形例を示す要部拡大断面図である。
【図１２】（イ）は本願発明の第６の実施の形態にかかる静電気除去装置の通常取付状態を示す要部斜視図、（ロ）は不使用時（即ち、静電気除去不要時）の取付状態を示す要部斜視図である。
【図１３】（イ）は本願発明の第７の実施の形態にかかる静電気除去装置の通常取付状態を示す要部斜視図、（ロ）は不使用時（即ち、静電気除去不要時）の取付状態を示す要部斜視図である。
【図１４】本願発明の第８の実施の形態にかかる静電気除去装置の取付状態を示す斜視図である。
【符号の説明】
【００５４】
２ａは固定部
２ｂは自由端部
３はデザイン手段（花）
４は円盤部材
５はピン
６は取付座
７は支持部
８は支持棒
Ａは静電気除去装置
Ｋは位置決め手段
Ｘは履物
Ｘ1は履き口
Ｘ1ａは口縁
Ｘ2はかかと上方側面
Ｘ3は土踏まず
Ｙはズボン
【図１】
2007207660.tif 000004
【図２】
2007207660.tif 000005
【図３】
2007207660.tif 000006
【図４】
2007207660.tif 000007
【図５】
2007207660.tif 000008
【図６】
2007207660.tif 000009
【図７】
2007207660.tif 000010
【図８】
2007207660.tif 000011
【図９】
2007207660.tif 000012
【図１０】
2007207660.tif 000013
【図１１】
2007207660.tif 000014
【図１２】
2007207660.tif 000015
【図１３】
2007207660.tif 000016
【図１４】
2007207660.tif 000017